【手続補正書】
【提出日】平成17年4月5日(2005.4.5)
【手続補正１】
【補正対象書類名】明細書
【補正対象項目名】全文
【補正方法】変更
【補正の内容】
【書類名】   明細書
【発明の名称】  鉄塔の雨水止具及び鉄塔の雨水集中落下防止方法
【特許請求の範囲】
【請求項１】  鉄塔を構成する鋼材に取り付けられる第１及び第２の水切り具の組み合わせからなる雨水止具であって、
前記第１の水切り具は、前記鋼材の外周に固定される取付部と、前記鋼材に固定された状態で内周が当該鋼材の外周に密接し、外周側が当該鋼材の外周に鍔状に広がる遮水板とを具備し、
前記第２の水切り具は、前記鋼材の外周に沿うように配置され、柔軟な合成樹脂製の管材と、この管材を当該鋼材に締め付けて固定するための取付部材とを具備することを特徴とする鉄塔の雨水止具。
【請求項２】  鋼管材を接続してなる鉄塔において、上下方向斜めに伸びる所要の鋼管材の外周を包囲するようにそれぞれ取り付けられる第１及び第２の水切り具の組み合わせからなる雨水止具であって、
前記第１の水切り具は、前記鋼管材の外周に固定される取付部と、前記鋼管材に固定された状態で内周が当該鋼管材の外周に密接し、外周側が当該鋼管材の外周に鍔状に広がる環状の遮水板とを具備し、当該鋼管材を伝う雨水のほとんどを遮断して落下させるように構成され、
前記第２の水切り具は、前記鋼管材の外周に沿うように配置され、柔軟な合成樹脂製の管材と、この管材に挿通され管材を当該鋼管材に固定するために当該鋼管材に巻き付けて締め付けられるバインド線材とを具備し、当該鋼管材を伝う雨水の一部を落下させ、他を下方へ流下させるように構成され、
前記第１の水切り具と前記第２の水切り具とを適宜前記鋼管材の所要箇所に取り付けて当該鋼管材を伝う雨水を分散落下させることを特徴とする鉄塔の雨水止具。
【請求項３】  鋼材を接続してなる鉄塔の所要の鋼材の外周を包囲するように第１及び第２の水切り具を装着することにより雨水の集中落下を防止する方法であって、
前記第１の水切り具は、所要の前記鋼材を伝う雨水のほとんどを遮断して落下させるように前記鋼材の外周に固定し、
前記第２の水切り具は、他の所要の前記鋼材を伝う雨水の一部を落下させ、他を下方へ流下させるように前記鋼材の外周に固定することを特徴とする鉄塔の雨水集中落下防止方法。
【請求項４】  鋼材を接続してなる鉄塔において、上下方向斜めに伸びる所要の鋼材の外周を包囲するように取り付けられる水切り具であって、
前記鋼材の外周に固定される取付部と、前記鋼材に固定された状態で内周が当該鋼材の外周に密接し、外周側が当該鋼材の外周に鍔状に広がる環状の遮水板とを具備し、
前記鋼材を伝って流下する雨水の流れを前記遮水板で止めて落下させることを特徴とする鉄塔の水切り具。
【請求項５】  縦方向に伸びる４本の主柱材と、これら４本の主柱材を所定の高さ毎に複数箇所で平面視矩形に接続する水平材と、各水平材の中央部において一対がＸ字状に交差して隣接主柱材間を接続する複数対の腹材と、これら腹材と前記主柱材との間を所定間隔をおいて斜めに接続する複数の斜補助材とを具備する鉄塔において、
最下部の前記腹材及びこの腹材に接続される斜補助材のうち、最下部の前記水平材より下方のものには、所定間隔をおいて複数の第１の水切り具を装着し、
最下部の前記腹材及びこの腹材に接続される斜補助材のうち、最下部の前記水平材より上方のものには所定間隔をおいて複数の第２の水切り具を装着し、
前記第１の水切り具として、前記腹材及び斜補助材の外周に装着され、腹材及び斜補助材を伝う雨水をほぼ完全に遮断して落下させる構造のものを選択し、
前記第２の水切り具として、前記腹材及び斜補助材の外周に装着され、腹材及び斜補助材を伝う雨水の一部を通過させ、一部を遮断して落下させる構造のものを選択することを特徴とする鉄塔の雨水集中落下防止方法。
【請求項６】  前記第１の水切り具は、それぞれ前記腹材又は斜補助材の外周に固定される取付部と、前記腹材又は斜補助材に固定された状態で内周が当該腹材又は斜補助材の外周に密接し、外周側が当該腹材又は斜補助材の外周に鍔状に広がる遮水板とを具備し、当該腹材又は斜補助材を伝う雨水のほとんどを遮断して落下させるように構成されたものであり、
前記第２の水切り具は、前記腹材又は斜補助材の外周に沿うように配置される柔軟な合成樹脂製の管材と、この管材を前記腹材又は斜補助材に締め付けて固定するための取付部材とを具備し、当該腹材又は斜補助材を伝う雨水の一部を落下させ、他を下方へ流下させるように構成されたものであることを特徴とする請求項５に記載の鉄塔の雨水集中落下防止方法。
【請求項７】  縦方向に伸びる４本の主柱材と、これら４本の主柱材を所定の高さ毎に複数箇所で平面視矩形に接続する水平材と、各水平材の中央部において一対がＸ字状に交差して隣接主柱材間を接続する複数対の腹材と、これら腹材と前記主柱材との間を所定間隔をおいて斜めに接続する複数の斜補助材とを具備する鉄塔において、
最下部の前記腹材及びこの腹材に接続される斜補助材のうち、少なくとも、最下部の前記水平材より下方のものに、所定間隔をおいて複数の水切り具を装着し、
前記水切り具として、前記腹材及び斜補助材の外周に装着され、腹材及び斜補助材を伝う雨水をほぼ完全に遮断して落下させる構造のものを選択することを特徴とする鉄塔の雨水集中落下防止方法。
【請求項８】  
前記水切り具は、それぞれ前記腹材又は斜補助材の外周に固定される取付部と、前記腹材又は斜補助材に固定された状態で内周が当該腹材又は斜補助材の外周に密接し、外周側が当該腹材又は斜補助材の外周に鍔状に広がる遮水板とを具備し、当該腹材又は斜補助材を伝う雨水のほとんどを遮断して落下させるように構成されたものであることを特徴とする請求項７に記載の鉄塔の雨水集中落下防止方法。
【発明の詳細な説明】
【０００１】
【発明の属する技術分野】
この発明は、鋼材を接続して構成される鉄塔において、鋼材を伝う雨水が特定部位に集中して落下し、敷地の表土を浸食するのを防止するための雨水止具とこれを用いた鉄塔の雨水集中落下防止方法に関する。     
【０００２】
【従来の技術】
高さ数十メートルから百数十メートルに及ぶ送電線鉄塔では、部材を伝って下部へ集中する雨水は大量であるうえ、特定部位に集中して地上へ落下するため、表土の流出や洗掘により敷地が荒廃するという問題点がある。その対策として、敷地へ保護用の樹脂製マットやネットを敷設することが行われているが、十分な効果が得られず、また敷地上での活動の障害となるという問題点がある。
【０００３】
【発明が解決しようとする課題】
この発明は、鉄塔を構成する鋼材を伝う雨水を分散して落下させ、敷地の表土を浸食するのを防止するのに有効で、構造簡易な雨水止具と、これを用いた鉄塔の雨水集中落下防止方法を提供することを課題としている。
【０００４】
【課題を解決するための手段】
上記課題を解決するため、請求項１に記載の発明においては、鉄塔Ｔを構成するの上下方向斜めに伸びる腹材２３や斜補助材２４のような所要の鋼材の外周を包囲するようにそれぞれ取り付けることができる第１及び第２の水切り具１，２の組み合わせで雨水止具を構成した。第１の水切り具１は、鋼材の外周に固定される取付部３と、鋼材に固定された状態で内周が当該鋼材の外周に密接し、外周側が当該鋼材の外周に鍔状に広がる遮水板４とを具備する。第２の水切り具２は、鋼材の外周に沿うように配置され柔軟な合成樹脂製の管材６と、この管材６を当該鋼材に締め付けて固定するためのバインド線材７のような取付部材とを具備する。そして、第１の水切り具１と第２の水切り具２とを適宜鋼材の所要箇所に取り付けて当該鋼材を伝う雨水を分散落下させるようにした。
この場合、第１の水切り具１と前記第２の水切り具２の組み合わせ使用により、鋼材を伝う雨水を、第２の水切り具２の位置では一部落下させ、第１の水切り具１の位置では全て落下させることができ、これにより雨水を効率的に分散落下させることができる。
請求項２に記載の発明においては、鋼管材を接続してなる鉄塔Ｔの上下方向斜めに伸びる腹材２３や斜補助材２４のような所要の鋼管材の外周を包囲するように それぞれ取り付けることができる第１及び第２の水切り具１，２の組み合わせで雨水止具を構成した。第１の水切り具１は、鋼管材の外周に固定される取付部３と、鋼管材に固定された状態で内周が当該鋼管材の外周に密接し、外周側が当該鋼管材の外周に鍔状に広がる環状の遮水板４とを具備し、当該鋼管材を伝う雨水のほとんどを遮断して落下させるように構成する。第２の水切り具２は、鋼管材の外周に沿うように配置され水抜き孔６ａを有する柔軟な合成樹脂製の管材６と、この管材６に挿通され管材６を当該鋼管材に固定するために当該鋼管材に巻き付けて締め付けられるバインド線材７とを具備し、当該鋼管材を伝う雨水の一部を落下させ、他を下方へ流下させるように構成する。そして、第１の水切り具１と第２の水切り具２とを適宜鋼管材の所要箇所に取り付けて当該鋼管材を伝う 雨水を分散落下させるようにした。
この場合、第１の水切り具１と前記第２の水切り具２の組み合わせ使用により、鋼管材を伝う雨水を第２の水切り具２の位置では一部落下させ、第１の水切り具１の位置では全て落下させることができ、これにより雨水を効率的に分散落下させることができる。
請求項３に記載の発明は、上下方向斜めに伸びる鋼材等を接続してなる鉄塔の所要の鋼材の外周を包囲するように第１及び第２の水切り具１，２を装着することにより雨水の集中落下を防止する方法である。第１の水切り具１は、所要の鋼材を伝う雨水のほとんどを遮断して落下させるように鋼材の外周に固定し、第２の水切り具２は、他の所要の鋼材を伝う雨水の一部を落下させ、他を下方へ流下させるように鋼材の外周に固定する。
請求項４に記載の発明においては、鋼管材を接続してなる鉄塔Ｔにおいて上下方向斜めに伸びる所要の鋼管材の外周を包囲するように取り付けられる水切り具１を以下のように構成した。鋼管材の外周に固定される取付部５と、鋼管材に固定された状態で内周が当該鋼管材の外周に密接し、外周側が当該鋼管材の外周に鍔状に広がる環状の遮水板４とを具備し、鋼管材を伝って流下する雨水の流れを遮水板で止めて落下させるものとする。
この場合、鋼管材を伝って流下する雨水の流れを遮水板４でほぼ完全に止めて落下させることができる、装着容易で構造が比較的簡易な水切り具１が得られる。
請求項５に記載の発明においては、縦方向に伸びる４本の鋼管製主柱材２１と、これら４本の主柱材２１を所定の高さ毎に複数箇所で平面視矩形に接続する鋼管製の水平材２２と、各水平材２２の中央部において一対がＸ字状に交差して隣接主柱材２１間を接続する複数対の鋼管製の腹材２３と、これら腹材２３と主柱材２１との間を所定間隔をおいて斜めに接続する複数の鋼管製斜補助材２４とを具備する鉄塔Ｔにおける雨水の集中落下防止方法として、以下の方法を採用した。最下部の腹材２３ａ，２３ｂ及びこの腹材に接続される斜補助材２４ａ，２４ｂのうち、最下部の水平材２２ａより下方のもの２３ａ，２４ａには所定間隔をおいて複数の第１の水切り具１を装着し、最下部の腹材２３ａ，２３ｂ及びこの腹材に接続される斜補助材２４ａ，２４ｂのうち、最下部の水平材２２ａより上方のもの２３ｂ，２４ｂには所定間隔をおいて複数の第２の水切り具２を装着し、第１の水切り具１として、腹材２３ａ及び斜補助材２４ａの外周に装着され、腹材２３ａ及び斜補助材２４ａを伝う雨水をほぼ完全に遮断して落下させる構造のものを選択し、第２の水切り具２として、腹材２３ｂ及び斜補助材２４ｂの外周に装着され、腹材２３ｂ及び斜補助材２４ｂを伝う雨水の一部を通過させ、一部を遮断して落下させる構造のものを選択する。
この方法によれば、比較的上方の腹材２３ｂ及び斜補助材２４ｂを伝わる雨水は一気に遮断、落下させることなく、第２の水切り具２で緩やかに遮断し、各水切り具２へ廻してなるべく広い範囲へ分散落下させる。比較的下方の腹材２３ａ及び斜補助材２４ａを伝わる雨水は、上方での分散落下により比較的少量になっているので、第１の水切り具１により完全に遮断して落下させても敷地の荒廃を生じない。
請求項６に記載の発明においては、請求項５に記載の方法における第１の水切り具１として、それぞれ腹材２３ａ又は斜補助材２４ａの外周に固定される取付部５と、腹材２３ａ又は斜補助材２４ａに固定された状態で内周が当該腹材２３ａ又は斜補助材２４ａの外周に密接し、外周側が当該腹材２３ａ又は斜補助材２４ａの外周に鍔状に広がる遮水板４とを具備し、当該腹材２３ａ又は斜補助材２４ａを伝う雨水のほとんどを遮断して落下させるように構成されたものを採用し、また、第２の水切り具２として、腹材２３ｂ又は斜補助材２４ｂの外周に沿うように配置され水抜き孔６ａを有する柔軟な合成樹脂製の管材６と、この管材６を腹材２３ｂ又は斜補助材２４ｂに締め付けて固定するためのバインド線材７のような取付具とを具備し、腹材２３ｂ又は斜補助材２４ｂを伝う雨水の一部を落下させ、他を下方へ流下させるように構成されたものを採用した。
この方法によれば、第１及び第２の水切り具１，２の装着が容易で、優れた雨水分散落下効果を得ることができる。
請求項７に記載の発明においては、縦方向に伸びる４本の鋼管製主柱材２１と、これら４本の主柱材２１を所定の高さ毎に複数箇所で平面視矩形に接続する鋼管製水平材２２と、各水平材２２の中央部において一対がＸ字状に交差して隣接主柱材２１間を接続する複数対の鋼管製腹材２３と、これら腹材２３と主柱材２１との間を所定間隔をおいて斜めに接続する複数の鋼管製斜補助材２４とを具備する鉄塔Ｔにおける雨水の集中落下防止方法として以下の方法を採用した。最下部の腹材２３ａ，２３ｂ及びこの腹材に接続される斜補助材２４ａ，２４ｂのうち、少なくとも、最下部の水平材２２ａより下方のもの２３ａ，２４ａに、所定間隔をおいて複数の水切り具１を装着し、水切り具１として、腹材２３ａ及び斜補助材２４ａの外周に装着され、腹材２３ａ及び斜補助材２４ａを伝う雨水をほぼ完全に遮断して落下させる構造のものを選択した。
腹材２３ａ及び斜補助材２４ａを伝う雨水の量により、雨水をほぼ完全に遮断して落下させる構造の水切り具１のみの装着で優れた分散落下効果を得ることができる。
請求項８に記載の発明においては、請求項７に記載の発明における水切り具１として、以下の構成のものを採用した。それぞれ腹材２３ａ又は斜補助材２４ａの外周に固定される取付部５と、腹材２３ａ又は斜補助材２４ａに固定された状態で内周が当該腹材２３ａ又は斜補助材２４ａの外周に密接し、外周側が当該腹材２３ａ又は斜補助材２４ａの外周に鍔状に広がる環状の遮水板４とを具備し、当該腹材２３ａ又は斜補助材２４ａを伝う雨水のほとんどを遮断して落下させるように構成された水切り具１である。
この構造の水切り具１を採用することにより、装着が容易で、良好な水切り効果が期待できる。
【０００５】
【発明の実施の形態】
図面を参照して本発明の実施の形態を説明する。図１は鉄塔の概略的正面図、図２は鉄塔の拡大した概略的正面図、図３は第１の水切り具の取付状態の斜視図、図４は第１の水切り具の斜視図、図５は第２の水切り具の取付状態の斜視図、図６は第２の水切り具の斜視図である。
【０００６】
この発明に係る雨水止具は、第１の水切り具１と、第２の水切り具２との組み合わせからなり、鋼管材を接続してなる鉄塔Ｔにおいて、腹材２３や斜補助材２４のような上下方向斜めに伸びる所要の鋼管材の外周を包囲するようにそれぞれ取り付けられる。
【０００７】
鉄塔Ｔは、フランジ継手や、各種の継手付きの鋼管材を接続してなる。即ち、鉄塔Ｔは、図１，図２に示すように、縦方向に伸びる４本の鋼管製主柱材２１と、これら４本の主柱材２１を所定の高さ毎に複数箇所で平面視矩形に接続する鋼管製の水平材２２とを有する。隣接主柱材２１間は、多数の腹材２３で面組みされている。腹材２３は、Ｘ字状に交差した一対の鋼管材で構成され、夫々が各水平材２２の中央部において交差して接続されている。腹材２３と主柱材２１との間は、所定間隔をおいて斜めに伸びる複数の鋼管製斜補助材２４で接続されている。
【０００８】
最下部の腹材２３ａ，２３ｂのうち、最下部の水平材２２ａより下方に位置するもの２３ａには、所定の相互間隔をおいて複数の第１の水切り具１が装着されている。また、腹材２３ａに接続される斜補助材２４ａにも、所定の相互間隔をおいて複数の水切り具１が装着されている。
最下部の腹材２３ａ，２３ｂのうち、水平材２２ａより上方のもの２３ｂには、所定の相互隔をおいて複数の第２の水切り具２が装着されている。また、腹材２３ｂに接続される斜補助材２４ｂにも、所定の相互間隔をおいて複数の水切り具２が装着されている。
【０００９】
腹材２３ａ及び斜補助材２４ａの外周に装着される第１の水切り具１は、腹材２３ａ及び斜補助材２４ａを伝う雨水をほぼ完全に遮断して落下させる構造のものであるのに対し、相対的に上方の腹材２３ｂ及び斜補助材２４ｂの外周に装着される第２の水切り具２は、腹材２３ｂ、斜補助材２４ｂを伝う雨水の一部を通過させ、一部を遮断して落下させる構造のものである。
【００１０】
図３に示すように、第１の水切り具１は、金属製で、取付部３と、遮水板４とを具備する。取付部３は、バンド５によって、腹材２３ａ又は斜補助材２４ａを構成する鋼管材の外周に固定される。遮水板４は、鋼管材に固定された状態で、内周が当該鋼管材の外周に密接し、外周側が当該鋼管材の外周に鍔状に広がる環状の板であり、当該鋼管材を伝う雨水のほとんどを遮断して落下させる。さらに詳細には、図４に示すように、遮水板４が、半環状の一対の半部４ａに２分割されている。各半部４ａにおける内周縁の３カ所の舌片を直角に折り起こして取付部３が形成されている。なお、腹材２３ａと斜補助材２４ａとでは鋼管材の直径が異なるので、第１の水切り具１は、腹材２３ａへ装着用のものと斜補助材２４ａへ装着用のものとで大きさが異なる。第１の水切り具１における取付部３の具体的構造及び取付方法は任意であり、他の各種の異なる構造を採用しうる。
【００１１】
腹材２３ｂ又は斜補助材２４ｂを構成する鋼管材に装着される第２の水切り具２は、柔軟な合成樹脂製の管材６と、バインド線材７とを具備する。管材６は、鋼管材の外周に沿うように配置され、中央下部に水抜き孔６ａを有する。管材６はこれよりも長いものであってよい。バインド線材７は、管材６に挿通され鋼管材に巻き付けて締め付けられる。腹材２３ｂ又は斜補助材２４ｂを伝う雨水の一部は、管材６に衝突して飛散落下し、あるいは水抜き孔６ａから落下し、他は水切り具２を越えて下方へ流下するようになっている。第２の水切り具２の位置で、雨水を一時に止めて落下させずに、分散させて落下させる効果がある。第２の水切り具２も、腹材２３ｂへ装着用のものと斜補助材２４ｂへ装着用のものとで大きさが異なる。
【００１２】
第１及び第２の水切り具１，２を所要箇所へ装着した鉄塔Ｔにおいては、各部材に伝わる雨水が、比較的上部においては、第２の水切り具２によって流れを妨げられ、飛散して落下し、一部は管材６を溢流して下方へ通過することにより広い範囲で分散落下することになる。比較的下部では、第２の水切り具２によって飛散しきれずに伝わってきた雨水及び当該鋼管材自身へ降る雨水を最終的に第１の水切り具１で遮断して飛散落下させる。このようにして、雨水の集中落下による敷地の荒廃を防ぐことができる。
【００１３】
腹材２３ａ、斜補助材２４ａへの第１の水切り具１の装着位置、装着個数は、状況に応じて任意に設定できる。同様に、腹材２３ｂ、斜補助材２４ｂへの第２の水切り具２の装着位置、装着個数も任意に設定できる。さらに、水切り具２については、その装着を省略して、第１の水切り具１のみを腹材２３ａ、斜補助材２４ａへ装着することで十分な集中落下防止効果を得ることができる場合もある。
【００１４】
【発明の効果】
以上のように、この発明においては、第１の水切り具１及び又は第２の水切り具２を腹材２３ａ，２３ｂ又は斜補助材２４ａ，２４ｂへ装着することによって、それぞれの部材に伝わる雨水を効果的に止めて飛散落下させ、それによって敷地への雨水の集中落下を防止し、敷地の荒廃を回避することができるという効果を有する。
【図面の簡単な説明】
【図１】
鉄塔の概略的正面図である。
【図２】
鉄塔の拡大した概略的正面図である。
【図３】
第１の水切り具の取付状態の斜視図である。
【図４】
第１の水切り具の斜視図である。
【図５】
第２の水切り具の取付状態の斜視図である。
【図６】  
第２の水切り具の斜視図である。
【符号の説明】
１    第１の水切り具
２    第２の水切り具
３    取付部
４    遮水板
４ａ  半部
５    バンド
６    管材
６ａ  水抜き孔
７    バインド線材
Ｔ    鉄塔
２１  主柱材
２２  水平材
２２ａ  最下部の水平材
２３  腹材  
２３ａ  最下部の腹材
２３ｂ  最下部の腹材
２４  斜支持材
２４ａ  最下部の斜補助材
２４ｂ  最下部の斜補助材